(57)【要約】【課題】書類の記入を補助する技術を提供する。【解決手段】書類を撮影する撮影手段と、前記書類の記入項目のうち前記撮影手段により撮影された記入項目における記入例を特定する特定手段と、前記特定手段により特定された記入例を前記記入項目の記入欄に重ねて表示する表示手段と、を有することによって課題を解決する。【選択図】図１
2015121845.tif 000002
【特許請求の範囲】
【請求項１】
書類を撮影する撮影手段と、
前記書類の記入項目のうち前記撮影手段により撮影された記入項目における記入例を特定する特定手段と、
前記特定手段により特定された記入例を前記記入項目の記入欄に重ねてディスプレイに表示する表示手段と、
を有する情報処理装置。
【請求項２】
前記特定手段は、前記撮影された記入項目に係る記入項目情報に基づいて、予め記憶されている記入項目情報と、記入例に係る記入例情報とが対応付けられた対応情報を参照することにより前記撮影された記入項目における記入例を特定する請求項１記載の情報処理装置。
【請求項３】
前記表示手段は、前記特定された記入例を前記書類のサイズに対して等倍表示で前記記入項目の記入欄に重ねてディスプレイに表示する請求項１又は２記載の情報処理装置。
【請求項４】
前記表示手段は、前記特定された記入例の記入位置から設定された距離ずらした位置の記入例を前記記入項目の記入欄に重ねてディスプレイに表示する請求項１乃至３何れか１項記載の情報処理装置。
【請求項５】
前記表示手段は、ユーザから前記書類の書き始めに係る指示を受け付けると、前記書類の書き始めに係る部分の記入例を前記記入項目の記入欄に重ねてディスプレイに表示する請求項１乃至４何れか１項記載の情報処理装置。
【請求項６】
前記情報処理装置の移動を検知して移動情報を取得する検知手段を更に有し、
前記特定手段は、前記情報処理装置が移動された場合、前記撮影された記入項目の位置から前記検知手段により取得された移動情報が示す距離離れた位置の記入項目における記入例を特定する請求項１乃至５何れか１項記載の情報処理装置。
【請求項７】
前記特定手段により特定された記入例の表示方法に係る表示モードの選択画面を表示する選択画面表示手段を更に有し、
前記表示手段は、前記選択画面表示手段により表示された選択画面を介して受け付けた表示モードに応じて、前記特定された記入例を前記記入項目の記入欄に重ねてディスプレイに表示する請求項１乃至６何れか１項記載の情報処理装置。
【請求項８】
前記画面表示手段は、前記特定された記入例を記入位置からずらして表示するか否かに係る表示モードの選択画面を表示する請求項７記載の情報処理装置。
【請求項９】
前記撮影手段は、前記情報処理装置の背面に備えられている背面カメラで書類を撮影し、
前記表示手段は、前記特定された記入例を前記記入項目の記入欄に重ねて前記情報処理装置の表面に備えられているディスプレイに表示する請求項１乃至８何れか１項記載の情報処理装置。
【請求項１０】
情報処理装置が実行する情報処理方法であって、
書類を撮影する撮影ステップと、
前記書類の記入項目のうち前記撮影ステップにより撮影された記入項目における記入例を特定する特定ステップと、
前記特定ステップにより特定された記入例を前記記入項目の記入欄に重ねて表示する表示ステップと、
を含む情報処理方法。
【請求項１１】
コンピュータに、
書類を撮影する撮影ステップと、
前記書類の記入項目のうち前記撮影ステップにより撮影された記入項目における記入例を特定する特定ステップと、
前記特定ステップにより特定された記入例を前記記入項目の記入欄に重ねて表示する表示ステップと、
を実行させるためのプログラム。
【発明の詳細な説明】
【技術分野】
【０００１】
本発明は、情報処理装置、情報処理方法及びプログラムに関する。
【背景技術】
【０００２】
近年、カメラ等の撮像機能を有するモバイル端末が普及している。モバイル端末とは、ノートＰＣやタブレット端末やスマートフォン等を指すが、これらモバイル端末は保存したドキュメントを表示させることができるようになっている。
特許文献１には、コンテンツの表現制御の基準となるガイドシートの一部又は全体を撮影して取得したガイド画像と、前記ガイドシートとの対応関係情報に基づいて、コンテンツの表示等を制御する技術が開示されている。
【先行技術文献】
【特許文献】
【０００３】
【特許文献１】特開２００９−２５９２５４号公報
【発明の概要】
【発明が解決しようとする課題】
【０００４】
役所に提出する書類や履歴書等に必要事項を手書きで記入する際にモバイル端末に書類のサンプルを表示して、ユーザがその表示を見ながら書類に記入するようなことが行われている。しかし、例えば記入すべき項目が多くあるような書類では、どのサンプルがどの記入領域と対応するのかユーザにとってわかりにくい場合がある。
また、特許文献１に開示されている技術では、記入する書類を撮影しながら対応するサンプルを表示することはできない。
本発明は、書類の記入を補助する技術を提供することを目的とする。
【課題を解決するための手段】
【０００５】
そこで、本発明の情報処理装置は、書類を撮影する撮影手段と、前記書類の記入項目のうち前記撮影手段により撮影された記入項目における記入例を特定する特定手段と、前記特定手段により特定された記入例を前記記入項目の記入欄に重ねてディスプレイに表示する表示手段と、を有する。
【発明の効果】
【０００６】
本発明によれば、書類の記入を補助する技術を提供することができる。
【図面の簡単な説明】
【０００７】
【図１】実施形態１の概要の一例を示す図である。
【図２】ハードウェア構成の一例を示す図である。
【図３】機能構成の一例を示す図である。
【図４】全体の処理の一例を示すフローチャートである。
【図５】サンプルデータの一例を示す図である。
【図６】サンプルデータに関するデータテーブルの一例を示す図である。
【図７】記入例の表示設定に関する設定画面の一例を示す図である。
【図８】第１の表示処理の一例を示すフローチャートである。
【図９】記入欄と、情報処理装置との重なりの一例を示す図である。
【図１０】書類の書き始めにおけるイメージの一例を示す図である。
【図１１】第２の表示処理の一例を示すフローチャートである。
【図１２】記入例をずらして表示したイメージの一例を示す図である。
【発明を実施するための形態】
【０００８】
以下、本発明の実施形態について図面に基づき説明する。
【０００９】
＜実施形態１＞
図１は、本実施形態の概要の一例を示す図である。
図１には、ユーザが手書きで記入する申請書等の書類１０１と、書類１０１を撮影することができる背面カメラを有しているスマートフォンやタブレット端末等の情報処理装置１０２とが示されている。本実施形態では、記入対象の書類のことを原本書類という。書類１０１は、原本書類の一例である。
情報処理装置１０２は、書類データに記入例が記入済みのサンプルデータ（電子ファイル）を予め記憶しており、背面カメラによって撮影した位置に対応するサンプルデータの記入例を表示する。
例えば図１の場合、氏名１０３には「ヤマダ」「山田」、住所１０４には「町田市」、及び電話１０５には「０９０」と表示されているので、本書類に対応する電子ファイルにはこれらのデータが記入されていることになる。
また、情報処理装置１０２は、ユーザにより原本書類の他の記入項目（以下、単に項目という）へ移動された場合、その項目に応じて表示する内容を変更する。例えば図１の場合、情報処理装置１０２は、ユーザにより書類１０１の生年月日やその他の項目上へ移動されると、その項目に応じた記入例を表示する。
【００１０】
図２は、情報処理装置１０２のハードウェア構成の一例を示す図である。
電源管理装置２００は、情報処理装置１０２の各ユニットに対する電力供給を管理する。
ＣＰＵ２０１は、情報処理装置１０２全体を制御するプロセッサである。ＣＰＵ２０１は、ＲＯＭ２０３等に記憶されているプログラムを実行することにより、情報処理装置１０２の機能構成及び後述するフローチャートに係る処理を実現する。
ＲＡＭ２０２は、ＣＰＵ２０１が動作するためのシステムワークメモリ、プログラムを記憶するためのプログラムメモリ、及び画像データ等を記憶するためのメモリである。
ＲＯＭ２０３は、ブートプログラムや各種制御プログラムを記憶している。また、ＲＯＭ２０３は、ＣＰＵ２０１が実行する処理に要する各種のデータを記憶している。
【００１１】
カメラ２０４は、撮影した画像を画像入力装置２０５に送る。なお、カメラ２０４は、ディスプレイ２０８の面を情報処理装置１０２の表面とした場合、情報処理装置１０２の背面に備えられている背面カメラである。
画像入力装置２０５は、カメラ２０４から撮影画像の入力を受け付け、画像処理装置２０６に送る。
画像処理装置２０６は、画像入力装置２０５から取得した画像に対して各種の画像処理を行い、画像出力装置２０７に送る。
画像出力装置２０７は、画像処理装置２０６から取得した画像をディスプレイ２０８に表示する。
【００１２】
ディスプレイ２０８は、情報処理装置１０２の情報や画像を表示する表示装置である。ディスプレイ２０８は、ユーザからの入力を受け付けるタッチパネルのような構成であってもよい。
加速度センサ２０９は、情報処理装置１０２の移動を検知し、情報処理装置１０２が動かされた際の移動量を得ることができる。
入力装置２１０は、ユーザが情報処理装置１０２に情報を入力するためのキー等である。本実施形態では、ユーザは入力装置２１０を介して入力操作を行うものとして説明するが、ディスプレイ２０８がタッチパネルである場合、ユーザは入力操作をディスプレイ２０８を介して行うようにしてもよい。
【００１３】
図３は、情報処理装置１０２の機能構成の一例を示す図である。
サンプルデータ取得部３０１は、ユーザによる入力装置２１０の操作を介して、記憶領域に記憶されている上述したサンプルデータ（電子ファイル）を選択して取得する。なお、サンプルデータは、予めＲＯＭ２０３等の記憶領域に記憶されていてもよいし、ネットワークを介して通信可能な他の装置の記憶領域に記憶されていてもよい。
サンプルデータ表示部３０２は、サンプルデータ取得部３０１により取得されたサンプルデータの電子ファイルを開いてディスプレイ２０８に表示する。
表示方法判定部３０３は、サンプルデータの記入例の表示方法を判定する。
原本書類撮影部３０４は、記入対象となる原本書類をカメラ２０４を介して撮影する。
【００１４】
撮影内容判定部３０５は、原本書類撮影部３０４によって原本書類のどこが撮影されたのかを判定（特定）する。
表示制御部３０６は、撮影内容判定部３０５によって判定された原本書類の撮影位置に対応するサンプルデータ上の位置の記入例をディスプレイ２０８に表示する。即ち、表示制御部３０６は、撮影画像に含まれる項目に対応する記入例を記入欄に重ねて表示する。また、表示制御部３０６は、ユーザが原本書類に記入する部分をディスプレイ２０８で確認しながら記入することができるように、前記撮影位置と、対応するサンプルデータ上の位置とを所定の量（距離）ずらして記入例を表示するようにすることもできる。詳細については、図７等を用いて後述する。
端末移動検知部３０７は、情報処理装置１０２がどれだけ移動したのかを加速度センサ２０９を介して検知し、情報処理装置１０２の移動情報を取得する。
【００１５】
図４は、全体の処理の一例を示すフローチャートである。
Ｓ４０１で、サンプルデータ取得部３０１は、サンプルデータの取得を行う。サンプルデータ取得部３０１による処理については上述したため、詳細な説明を省略する。
図５は、サンプルデータ（電子ファイル）の一例を示す図である。
サンプルデータの一例である書類データ６０１には、氏名６０２、フリガナ６０３、住所６０４、及び電話６０５等に関する記入例が記入されている。また、サンプルデータに関する情報は、後述する図６に示されるデータテーブルに登録されている。
【００１６】
図６は、サンプルデータに関するデータテーブルの一例を示す図である。なお、図６に示されるデータテーブルは、記入項目に関する記入項目情報と、記入例情報とが対応付けられた対応情報の一例である。
情報処理装置１０２は、原本書類に対応するサンプルデータ毎に、例えばデータＡ、Ｂ、Ｃといったように複数のデータテーブルをＲＯＭ２０３等の記憶領域に記憶することができる。なお、データテーブルは、情報処理装置１０２と通信可能なネットワーク上の他の装置の記憶領域に記憶されていてもよい。
項目ＩＤ１４０１は、一意に設定されている記入欄の項目を識別するためのＩＤであり、キー項目として利用される。
項目名１４０２は、記入欄の名称であり、氏名（フリガナ）や住所等が登録される。なお、データテーブルには、例えば「日付」や「窓口にきた人」等のように、図６で例示した項目以外の項目に関する情報が登録されていてもよい。
【００１７】
項目の座標１４０３は、記入欄の用紙上での座標位置を示している。撮影内容判定部３０５は、情報処理装置１０２が移動された場合、加速度センサ２０９により移動後の記入欄の項目を特定することができる。より具体的に説明すると、撮影内容判定部３０５は、移動前の座標を記憶しておき、端末移動検知部３０７が加速度センサ２０９を介して取得した情報処理装置１０２の移動情報から移動後の座標を特定する。
項目のサイズ１４０４は、記入欄のサイズを示している。例えばデータＡで項目名１４０２が「氏名（フリガナ）」の場合、記入欄は、左上の座標が「１０，１０」であり、右下の座標が「２０，−９０」である矩形となる。
文字サイズ１４０５は、実サイズ（原寸大）の原本書類に記入した場合の文字の大きさを示す。表示制御部３０６は、入力装置２１０を介して原寸大表示で記入例を表示させる表示モードの選択を受け付けた場合、文字サイズ１４０５が示すサイズで記入例を表示する。詳細については、図７等を用いて後述する。
【００１８】
データ１４０６は、表示制御部３０６がディスプレイ２０８に表示する記入例の一例である。ユーザや管理者（以下、ユーザ等という）は、入力装置２１０を介して予めデータ１４０６を登録しておくようにしてもよい。
情報処理装置１０２は、情報処理装置１０２を利用しているユーザ等のユーザ情報に基づいて、ユーザデータベース（ＤＢ）を参照してデータ１４０６を取得するようにしてもよい。ここでは、複数のデータを記憶するＨＤＤ等の記憶装置（記憶領域）のことを含めてデータベースという。また、ユーザデータベースは、情報処理装置１０２内に存在していてもよいし、情報処理装置１０２と通信可能なネットワーク上の他の装置内に存在していてもよい。これにより、ユーザ等は、予めデータ１４０６を登録しておく必要がなくなる。即ち、情報処理装置１０２は、動的にデータ１４０６を取得することができるようになり、ユーザの利便性を向上させることができる。
【００１９】
また、項目ＩＤ１４０１から文字サイズ１４０５までの各種データについては、ユーザ等が予め入力装置２１０を介して登録しておくようにしてもよいし、情報処理装置１０２が原本書類をスキャンして解析して取得するようにしてもよい。
本実施形態のデータテーブルは、一例として図５に示されるような申請書に対応したデータとなっているが、情報処理装置１０２は、これ以外にも、履歴書、転居届、又は申込書等の書類に対応したデータテーブルを記憶しておくこともできる。
【００２０】
図４のフローチャートの説明に戻る。
Ｓ４０２で、サンプルデータ表示部３０２は、Ｓ４０１で取得されたサンプルデータをディスプレイ２０８に表示する。ここでは、サンプルデータ表示部３０２は、Ｓ４０１で取得されたサンプルデータの電子ファイルを開いて表示するだけであり、上述したような撮影位置に対応する記入例を表示するわけではない。なお、図４のフローチャートにおいて、Ｓ４０２の処理は必須の処理ではない。
【００２１】
Ｓ４０３で、表示方法判定部３０３は、ユーザによる入力装置２１０を介した指示に基づいて、記入例、即ち、データ１４０６の表示方法（表示モード）を判定する。
本実施形態では、記入例の表示方法として第１の表示モード、及び第２の表示モードが予め用意されており、ユーザは、入力装置２１０を介して表示モードを選択することができる。ここで、第１の表示モードとは、撮影した位置と同じ位置に対応する記入例を表示するモードであり、第２の表示モードとは、撮影した位置に対して所定の距離離れた位置の記入例を表示するモードである。表示モードの詳細については、図７等を用いて後述する。
Ｓ４０３で、表示方法判定部３０３は、第１の表示モードが選択されたと判定した場合、処理をＳ４０４に進め、第２の表示モードが選択されたと判定した場合、処理をＳ４０５に進める。Ｓ４０４の処理の詳細については、図８等を用いて後述する。また、Ｓ４０５の処理の詳細については、図１１等を用いて後述する。
【００２２】
図７は、記入例の表示設定に関する設定画面の一例を示す図である。
図７の（ａ）には、記入例を表示する際の表示モードの選択に関する設定画面７０１が表示されている。なお、設定画面７０１は、記入例の表示モードに関する選択画面の一例である。また、情報処理装置１０２が設定画面７０１を表示する処理は、選択画面表示処理の一例である。
表示制御部３０６は、入力装置２１０を介して第１の表示モードの選択を受け付けると、Ｓ４０４の第１の表示処理を実行し、入力装置２１０を介して第２の表示モードの選択を受け付けると、Ｓ４０５の第２の表示処理を実行する。
【００２３】
図７の（ｂ）には、ずらし設定の設定画面７１１が表示されている。ユーザは、入力装置２１０を介して設定画面７０１で第２の表示モードを選択すると、次に、設定画面７１１で撮影位置よりもどれだけ距離をずらした位置の内容を表示するかを設定する。
ここで、ユーザが右方向７１２で「２ｐ（ポイント）」と設定すると、表示制御部３０６は、撮影した項目の位置に対応する記入例のデータ１４０６よりも２ｐ分（例えば２ｃｍ）右のデータ１４０６を取得して表示する。これにより、ユーザは、原本書類の上に情報処理装置１０２を置いたままの状態でもディスプレイ２０８に表示される内容を見ながら記入することができるようになる。
下方向７１３についても同様であり、表示制御部３０６は、設定されたずらし量（距離）だけ下方向にずらした記入例を表示する。
【００２４】
ユーザが設定画面７０１で原寸大表示７０４を選択すると、情報処理装置１０２は、図７の（ｃ）に示される原稿サイズの設定画面７２１を表示する。
ユーザは、サンプルデータの電子ファイルが例えばｊｐｅｇ等の場合のように原稿サイズが不明な場合に設定画面７２１で原稿サイズを設定する。これにより、ユーザは、カメラ等で撮影した原本書類等を利用することができるようになる。
ユーザは、設定画面７２１で定型サイズ７２２や非定型（任意）サイズ７２３を設定するができる。ワードやＰＤＦ等のアプリケーションファイルが原本書類の場合で原稿サイズがわかっている場合、設定画面７２１での設定は不要となる。その場合、情報処理装置１０２は、設定画面７２１を表示しないようにしてもよい。
【００２５】
図８は、第１の表示処理の一例を示すフローチャートである。
Ｓ５０１で、原本書類撮影部３０４は、背面カメラであるカメラ２０４で原本書類を撮影する。
Ｓ５０２で、撮影内容判定部３０５は、カメラ２０４で撮影した場所（位置）は原本書類のどの項目（例えば「氏名」）であるのかを特定する。
Ｓ５０３で、撮影内容判定部３０５は、Ｓ５０２で特定した項目に対応する記入例のデータ１４０６を図６のデータテーブル１４００から取得する。
【００２６】
なお、以上の処理において、撮影内容判定部３０５は、随時行われる撮影後に所定の時間で項目の特定を開始するようにしてもよいし、情報処理装置１０２が静止状態となったと判定されたら項目の特定を開始するようにしてもよい。また、撮影内容判定部３０５は、ユーザにより開始の指示を受けた場合に、項目の特定を開始するようにしてもよい。
また、以降の処理で表示制御部３０６は、撮影内容判定部３０５が項目「氏名」を特定するまで、データ１４０６を表示しないようにしてもよい。また、撮影内容判定部３０５は、入力装置２１０を介して開始の指示を受け付けることで「氏名」の特定処理を開始するようにしてもよい。そして、撮影内容判定部３０５は、「氏名」に対応するデータ１４０６（例えば、山田  太郎）をデータテーブル１４００から取得して表示することができる状態にする。
【００２７】
また、撮影内容判定部３０５は、Ｓ５０１での撮影後に情報処理装置１０２が移動された場合、以下のようにして項目を特定することもできる。
撮影内容判定部３０５は、撮影した場所からどれだけどの方向に移動したのかに関する移動情報を端末移動検知部３０７から取得する。即ち、撮影内容判定部３０５は、移動前の座標情報と、移動情報とから移動後の座標情報を取得する。そして、撮影内容判定部３０５は、移動後の座標情報と、データテーブル１４００における項目の座標１４０３の座標情報とから項目を特定することができる。
これにより、情報処理装置１０２は、一度原本書類の外へ移動されてしまった場合でも、原本書類との位置関係を把握することができる。
【００２８】
Ｓ５０４で、表示方法判定部３０３は、データ１４０６が示す記入例を原本書類と同じサイズで表示するか否かを判定し、同じサイズで表示すると判定した場合、処理をＳ５０５に進め、同じサイズで表示しないと判定した場合、処理をＳ５０６に進める。より具体的に説明すると、表示方法判定部３０３は、図７の設定画面７０１で原寸大表示７０４が選択されたか否かを判定する。即ち、表示方法判定部３０３は、設定画面７０１で原寸大表示７０４が選択された場合、データ１４０６を原本書類の原寸大に対応するサイズで表示すると判定する。
Ｓ５０５で、表示制御部３０６は、原本書類のサイズ情報を取得する。より具体的に説明すると、表示制御部３０６は、図７の設定画面７２１で設定されたサイズ情報を取得する。即ち、表示制御部３０６は、原本書類のサイズに対してデータ１４０６を等倍表示するために原本書類のサイズ情報を取得する。これにより、ユーザは、原本書類のサイズに対して等倍表示された記入例を見ながら原本書類に記入することができる。
【００２９】
Ｓ５０６で、表示制御部３０６は、Ｓ５０３で取得されたデータ１４０６が示す記入例を表示する。ここで、表示制御部３０６は、Ｓ５０４で記入例を原本書類と同じサイズで表示しないと判定された場合、データ１４０６が示す記入例をデフォルトサイズで表示する。ここいでいうデフォルトサイズとは、情報処理装置１０２に予め設定されているユーザにより変更されていないサイズのことである。
Ｓ５０７で、表示制御部３０６は、入力装置２１０を介してユーザから終了の指示を受け付けたか否かを判定し、終了の指示を受け付けたと判定した場合、図８の処理を終了し、終了の指示を受け付けていないと判定した場合、処理をＳ５０１に戻す。
以上、本実施形態によれば、情報処理装置１０２は、撮影した原本書類の位置に対応する記入例をディスプレイ２０８に表示することで、ユーザによる原本書類の記入を補助することができる。
【００３０】
＜実施形態２＞
図８に示される第１の表示処理の場合、ユーザが原本書類の上に情報処理装置１０２を置いた状態だと原本書類の記入位置と、情報処理装置１０２とが重なってしまう。そのため、ユーザは、情報処理装置１０２のディスプレイ２０８に表示されている記入例を記入することができない。
図９は、記入欄と、情報処理装置１０２との重なりの一例を示す図である。
ユーザが氏名８０１の記入欄に「山田  太郎」と入力したい場合に、図９の（ｂ）に示されるように情報処理装置１０２のディスプレイ２０８に「山田」と表示されると、本来「山田」と記入したい場所には情報処理装置１０２が置かれ記入することができない。この場合、ディスプレイ２０８には「山田」ではなく「太郎」と表示される方が望ましい。そこで、ユーザが図７の設定画面７１１で右方向７１２に例えば「２ｐ」と設定することにより、表示制御部３０６は、ディスプレイ２０８に「太郎」と表示することができるようになる。
【００３１】
図１０は、書類の書き始めにおけるイメージの一例を示す図である。
図１０に示されるように、ユーザが原本書類９０１の左端から記入したい場合、情報処理装置１０２は、原本書類を撮影することができないので撮影画像からディスプレイ２０８に表示すべき記入例のデータ１４０６を特定して表示することができない。この場合、ユーザは、図７の設定画面７０１で第２の表示モードを選択する。
以下、図４のＳ４０５における第２の表示処理について説明する。
図１１は、第２の表示処理の一例を示すフローチャートである。
図８のフローチャートと同様の処理については、説明を省略する。
Ｓ１１０１で、表示制御部３０６は、ユーザによる原本書類の記入が書き始めであるか否かを判定し、書き始めであると判定した場合、処理をＳ１１０２に進め、書き始めでないと判定した場合、処理をＳ１１０３に進める。より具体的に説明すると、表示制御部３０６は、入力装置２１０を介して選択画面（不図示）で「書き始め」が選択されたか否かを判定する。また、表示制御部３０６は、背面カメラで原本書類を撮影できたことに対応して、書き始めでないと判定することができる。
【００３２】
Ｓ１１０２で、表示制御部３０６は、書き始めが選択されると書類の左上端の記入例（初期表示）をディスプレイ２０８に表示する。即ち、表示制御部３０６は、書類の書き始めの部分に対応する記入例のデータ１４０６を図６のデータテーブル１４００から取得し、図１０に示されるように情報処理装置１０２のディスプレイ２０８に書類の書き始めの部分に対応する記入例を表示する。なお、本実施形態では図１０に示されるように左上から書き始める書類を例に説明したが、これに限る必要はない。例えば右上から書き始めるような書類の場合、表示制御部３０６は、書類の右上端の記入例をディスプレイ２０８に表示するようにしてもよい。これにより、ユーザは、書き始めの部分においても、対応する記入例を見ながら記入をすることができる。
また、上述したように第２の表示モードの場合、表示制御部３０６は、図７の設定画面７１１で設定されたずらし量に応じて記入例をずらして表示することができる。
【００３３】
Ｓ１１０８で、表示制御部３０６は、設定画面７１１で設定されたずらし量だけずらして記入例をディスプレイ２０８に表示する。これにより、表示制御部３０６は、図１２に示されるように原本書類１００１に記入すべき記入例を適切に表示することができる。なお、図１２は、表示制御部３０６が記入例をずらして表示した場合のイメージの一例を示す図である。
以上、本実施形態によれば、情報処理装置１０２は、ユーザが記入したい位置に対応する記入例をディスプレイ２０８に適切に表示することができる。また、情報処理装置１０２は、書き始めの部分に対応する原本書類を撮影しなくても記入例をディスプレイ２０８に適切に表示することができる。
【００３４】
＜その他の実施形態＞
また、本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００３５】
以上、上述した各実施形態によれば、書類の記入を補助する技術を提供することができる。より具体的には、情報処理装置１０２は、ユーザが記入するための原本書類の撮影状況に応じて、前記原本書類の記入を補助するための記入例を適切に表示することができる。
【００３６】
以上、本発明の好ましい形態について詳述したが、本実施形態は係る特定の実施形態に限定されるものではなく、特許請求の範囲に記載された本発明の要旨の範囲内において、種々の変形・変更が可能である。
【符号の説明】
【００３７】
１０１  原本書類、１０２  情報処理装置、１０３  氏名、１０４  住所、１０５  電話
【図１】
2015121845.tif 000003
【図２】
2015121845.tif 000004
【図３】
2015121845.tif 000005
【図４】
2015121845.tif 000006
【図５】
2015121845.tif 000007
【図６】
2015121845.tif 000008
【図７】
2015121845.tif 000009
【図８】
2015121845.tif 000010
【図９】
2015121845.tif 000011
【図１０】
2015121845.tif 000012
【図１１】
2015121845.tif 000013
【図１２】
2015121845.tif 000014